(57)【要約】【課題】液晶モジュールを表示装置に組み付けるに当って介在させ、当該液晶モジュールの剛性を高めて耐振性を向上させる保持装置の提供。【解決手段】外周縁の下端側に当該外周縁に沿って環状に巡る固定用環状脚が設けられた外周縁部を備えた液晶モジュールの保持装置において、前記液晶モジュールの表示面側縁部から当該液晶モジュールの前記外周縁部の外周上縁側にわたって当接する外周当接面を備えた外周保持枠と、前記固定用環状脚の底面から当該固定用環状脚の内周面側にわたって当接する内周当接面を備えた内周保持枠とで、前記液晶モジュールの外周縁部を挟み付けるように設けたことを内容とする。【選択図】　　　　図２
2004125928.tif 000002
【特許請求の範囲】
【請求項１】
外周縁の下端側に当該外周縁に沿って環状に巡る固定用環状脚が設けられた外周縁部を備えた液晶モジュールの保持装置において、
前記液晶モジュールの表示面側縁部から当該液晶モジュールの前記外周縁部の外周上縁側にわたって当接する外周当接面を備えた外周保持枠と、
前記固定用環状脚の底面から当該固定用環状脚の内周面側にわたって当接する内周当接面を備えた内周保持枠とで、
前記液晶モジュールの外周縁部を挟み付けるように設けたことを特徴とする液晶モジュールの保持装置。
【請求項２】
外周保持枠の外周当接面と内周保持枠の内周当接面とは、断面が略四角形状の外周縁部に対して、互いに対角線方向に向かい合うように当接されたことを特徴とする請求項１に記載の液晶モジュールの保持装置。
【請求項３】
外周保持枠は、液晶モジュールの表示面側縁部に当接する当接面部分と当該液晶モジュールの外周縁部の外周面に当接する当接面部分との間に切り込み部を設けて、液晶モジュールの表示面側縁部側に当接する当接面部分が当該液晶モジュールの表示面側縁部側に対して圧接する構成としたことを特徴とする請求項１又は請求項２に記載の液晶モジュールの保持装置。
【請求項４】
外周保持枠は、当該外周保持枠の下端側枠口を塞ぐように当該外周保持枠の下端縁にあてがわれる裏面覆い部材に固定されたことを特徴とする請求項１乃至請求項３の何れかに記載の液晶モジュールの保持装置。
【請求項５】
内周保持枠は、外周縁部と裏面覆い部材との双方に固定されたことを特徴とする請求項４に記載の液晶モジュールの保持装置。
【請求項６】
液晶モジュールは、当該液晶モジュールの表示面側に液晶保護用透光性部材を備えたことを特徴とする請求項１乃至請求項５の何れかに記載の液晶モジュールの保持装置。
【発明の詳細な説明】
【０００１】
【発明の属する技術分野】
本発明は、液晶モジュールの保持装置に関し、詳しくは、液晶モジュールの外周縁の下端側に当該外周縁に沿って環状に巡る固定用環状脚が設けられた外周縁部を備えた液晶モジュールを保持する装置に関する。
【０００２】
【従来の技術】
従来、例えば、ビデオ映像や静止画等を表示する液晶表示装置（以下、表示装置ともいう）に液晶モジュールを組み付けて装着する際には、当該液晶モジュールの外周縁の下端側、即ち表示面側とは反対の裏面側方向に、予め当該外周縁に沿って環状に巡って設けられている固定用環状脚を、所要の固定位置に直接据え付けて、固定用環状脚の四隅をネジ等で固定していた。
【０００３】
【発明が解決しようとする課題】
しかし、液晶モジュールをその固定用環状脚を用いて表示装置のフレーム等に直接組み付けると、例えば、車載用の表示装置内に組み付けたりすると、表示装置の筐体等に加わる振動や衝撃が固定用環状脚を通じて当該液晶モジュール本体、例えば液晶にそのまま伝達されて、悪影響を与えるだけでなく、固定用環状脚の固定用ネジ穴が破損したり、液晶モジュール自体が破損する恐れがあった。
特に大型の液晶モジュールの場合には、サイズが大きくなるにつれて、固定用環状脚のネジ穴から離れた箇所では振動の共振点が低域に移るため、車両の揺れ等振動の影響を更に受け易くなってしまうという問題もあった。
【０００４】
本発明は、これ等の問題を解消するため、液晶モジュールを表示装置に組み付けるに当って介在させ、当該液晶モジュールの剛性を高めて耐振性を向上させる保持装置の提供を目的とする。
【０００５】
【課題を解決するための手段】
講求項１の発明は、外周縁の下端側に当該外周縁に沿って環状に巡る固定用環状脚が設けられた外周縁部を備えた液晶モジュールの保持装置において、
前記液晶モジュールの表示面側縁部から当該液晶モジュールの前記外周縁部の外周面にわたって当接する外周当接面を備えた外周保持枠と、
前記固定用環状脚の底面から当該固定用環状脚の内周面側にわたって当接する内周当接面を備えた内周保持枠とで、
前記液晶モジュールの外周縁部を挟み付けるように設けたことを内容とする。
【０００６】
講求項２の発明は、請求項１に記載の液晶モジュールの保持装置において、外周保持枠の外周当接面と内周保持枠の内周当接面とは、断面が略四角形状の外周縁部に対して、互いに対角線方向に向かい合うように当接されたことを内容とする。
【０００７】
請求項３の発明は、請求項１又は請求項２に記載の液晶モジュールの保持装置において、外周保持枠は、液晶モジュールの表示面側縁部側に当接する当接面部分と当該液晶モジュールの前記外周縁部の外周面に当接する当接面部分との間に切り込み部を設けて、液晶モジュールの表示面側縁部側に当接する当接面部分が当該液晶モジュールの表示面側縁部に対して圧接する構成としたことを内容とする。
【０００８】
請求項４の発明は、請求項１乃至請求項３の何れかに記載の液晶モジュールの保持装置において、外周保持枠は、当該外周保持枠の下端側枠口を塞ぐように当該外周保持枠の下端縁にあてがわれる裏面覆い部材に固定されたことを特徴とするに固定されたことを内容とする。
【０００９】
請求項５の発明は、請求項４に記載の液晶モジュールの保持装置において、内周保持枠は、外周縁部と裏面覆い部材との双方に固定されたことを内容とする。
【００１０】
請求項６の発明は、請求項１乃至請求項５の何れかに記載の液晶モジュールの保持装置において、液晶モジュールは、当該液晶モジュールの表示面側に液晶保護用透光性部材を備えたことを内容とする。
【００１１】
【発明の実施の形態】
実施の形態１．
以下、本発明の保持装置の実施の形態を図１乃至図５に示す保持装置の断面図に基づいて説明する。図１は液晶モジュールの縦断側面図、図２は保持装置の縦断側面図、図３は図２の一部拡大図、図４は外周保持枠の一部断面斜視図、図５は内周保持枠の一部断面斜視図である。
【００１２】
図１において、液晶モジュール１は、四角形状のものであって、その外周縁２１の下端側に当該外周縁２１に沿って四角形状に環状に巡る固定用環状脚２２が一体的に設けられた外周縁部２を備え、当該外周縁部２の四隅即ち固定用環状脚２１の四隅には固定用ネジ穴２３（図ではそのうち２つを表示）が設けられている。
又、図中の３は当該液晶モジュール１の表示面側であり、４は表示面３側と反対の裏面側である。２４は固定用環状脚２２の内周面側、２５は固定用環状脚２２の底面即ち据え付け面側を示す。
【００１３】
図２乃至図５において、保持装置５は、外周保持枠５１と内周保持枠５２と前記外周保持枠５１及び内周保持枠５２が固定される裏面覆い部材５３とを備え、前記外周保持枠５１と前記外周保持枠５１の下端側枠口を塞ぐように当該外周保持枠５１の下端側に一体的に固定された裏面覆い部材５３とで、液晶モジュール１を収めうるよう箱状凹部が形成された筺体であり、前記内周保持枠５２は当該箱状凹部の内周下縁側に液晶モジュール１を支えるように配設されている。
【００１４】
前記の外周保持枠５１は、前記の液晶モジュール１の外周縁部２の外周上縁側、例えば、少なくとも表示面１１の縁回りである縁部側（以下、表示面側縁部３１側ともいう）に当接される当接面部分５１１及び外周縁部２の外周面側の一部にわたって当接される当接面部分５１２との、互いの面の一辺において略直角に接する２つの当接面部分５１１、５１２を備えた外周当接面５１０が、当該モジュール１の外周縁部２の外周上縁側を環状に巡るように四角枠状に形成された枠体である。
【００１５】
又、前記の内周保持枠５２は、当該液晶モジュール１の裏面４側に在って、外周縁部２の内周下縁側、例えば、少なくとも固定用環状脚２２の底面２５に当接される当接面部分５２１及び当該固定用環状脚２１の内周面２４側の一部に当接される内周当接面５２２との、互いの面の一辺において略直角に接する２つの当接面部分５２１、５２２を備えた内周当接面５２０が、当該液晶モジュール１の固定用環状脚２２の内周下縁側を環状に巡って下支えするように四角形状に形成された枠体である。
【００１６】
前記の内周保持枠５２は、この箱状凹部の底即ち裏面覆い部材３３の内面側に固定された状態にて、当該箱状凹部に収められる液晶モジュール１を下支えする。又、裏面覆い部材５３は、当該保持装置５が取り付けられる際に、取付対象部に当接される当接部となる。図２のネジ７６はそのための取り付け用ネジである。
【００１７】
この実施の形態１の外周保持枠５１では、その内周面側に、液晶モジュール１の表示面１１側の表示面側縁部３１側から当該液晶モジュール１の外周縁部２の外周面の少なくとも一部にわたって、断面略「（カギ）形状に当接しながら当該液晶モジュール１の外周を環状に巡るように延在する外周当接面５１０が、図３において断面略Ｆ字状となるよう形成されており、当該外周保持枠５１の外周縁側が下方に延在し、この延在先端が裏面覆い部材５３に固定されている。
【００１８】
一方、内周保持枠５２では、その外周上縁側に、固定用環状脚２２の底面即ち据え付け面２５から当該固定用環状脚２２の内周面側にわたって、図３において断面略　」（カギ）形状に当接しながら、当該固定用環状脚２２の内周面を環状に巡るように延在する内周当接面５２０が形成されており、当該内周保持枠５２の下端側が裏面覆い部材５３に固定されている。
【００１９】
即ち、液晶モジュール１は、その固定用環状脚２２を含む外周縁部２が、図３において、前記外周保持枠５１の断面略「（カギ）形状の外周当接面５１０と前記内周保持枠５２の断面略　」（カギ）形状の内周当接面５２０とが、略四角形（「」）を形成するよう相対して、断面略四角形状の外周縁部２をその対角線方向に互いに相対して挟み付けた状態で保持される。
【００２０】
又、この実施の形態１では、液晶モジュール１を挟持する外周保持枠５１と内周保持枠５２とは、当該モジュール１の裏面４側を覆う裏面覆い部材５３に各々ネジ等により固定されると共に、図３に示すように、当該裏面覆い部材５３の内底面５３１の外周縁側に沿って略平行に立ち上がるよう固定された四角形状に環状に巡る外周保持枠５１と内周保持枠５２との相対する両側面間を一体的にネジ等により固定して、液晶モジュール１の外周縁部２の下縁側、即ち裏面覆い部材５３の外周縁側に、外周保持枠５１と内周保持枠５２と裏面覆い部材５３とで、断面略四角形状の箱型空洞５４を形成することによって、保持装置５延いては液晶モジュール１の剛性を高めている。
【００２１】
又、この実施の形態１では、前記内周保持枠５２で囲まれた裏面覆い部材５３の内面中央側を覆うよう、伏せコ字形の補強部材５３１を前記内周保持枠５２の内周縁部に取り付けて、断面略四角形状の箱型空洞５５を形成することによって、保持装置５延いては液晶モジュール１の剛性を更に一段と高めている。
【００２２】
又、この実施の形態１では、前記外周保持枠５１には、液晶モジュール１の表示面縁部３１側に当接する当接面部分５１１と当該液晶モジュール１の前記外周縁部２の外周面に当接する当接面部分５１２との間に、当該外周保持枠５１の内部に向かう切り込み部５１３を設けて、液晶モジュール１の表示面側縁部３１側に当接する当接面部分５１１が当該液晶モジュール１の表示面側縁部３１に対して圧接した状態にて当接する構成としている。これにより、液晶モジュール１はより確実に保持装置５に保持される。
【００２３】
尚、液晶モジュール１の表示面１１側には、一般に液晶保護用透光性部材として透明のアクリル板１１０が配設される。よって、本明細書において、液晶モジュール１の表示面１１とは、このように配設された液晶保護用透光性部材１１０の表面をも意味する。
【００２４】
次に、保護装置５の装着について説明する。
先ず、予め、補強部材５３１を内周保持枠５２にネジ７１にて固定してから、当該内周保持枠５２を液晶モジュール１にネジ７２にて固定して一体化しておく。
次に、外周保持枠５１の下端開口側から、液晶保護用透光性部材として透明のアクリル板１１０、内周保持枠５２と一体的に固定された液晶モジュール１の順に挿入した上で、内周保持枠５２をネジ７３にて外周保持枠５１に固定する。
次に、裏面覆い部材５３を外周保持枠５１及び内周保持枠５２にあてがって、ネジ７４、ネジ７５で固定する。
【００２５】
こうして、保持装置５は、液晶モジュール１の外縁部２を外周保持枠５１と内周保持枠５２とで当該外周部２の外周及び内周側から挟持して、液晶モジュール１を保持すると共に、当該保持装置５自体が、外周保持枠５１と内周保持枠５２と裏面覆い部材５３とで、箱型空洞５４が当該裏面覆い部材５３の外周縁に沿って四角形に巡るように形成されると共に、当該裏面覆い部材５３の中央側には伏せコ字形の補強部材５３１があてがわれて箱型空洞５５が形成されて、高い剛性をもって液晶モジュール１を保持することができる。
【００２６】
従って、このように高い剛性を備えた保持装置５を介して、液晶モジュール１を所要の表示装置、特に、比較的強い振動や衝撃を受け易い車載用の表示装置に装着することにより、液晶モジュール１への振動や衝撃を防ぐことができ、破損させることなく安全に保持させることができる。
【００２７】
【発明の効果】
本発明によれば、四角形状の液晶モジュールの外周を巡る外周縁部が、その外周縁部の外周側及び内周側から面接触する外周保持枠と内周保持枠とで挟圧保持されるので、液晶モジュールの剛性が向上し、耐振性を向上させることができ、液晶モジュール１への振動や衝撃を防ぐことができる。
【図面の簡単な説明】
【図１】液晶モジュールの縦断側面図である。
【図２】実施の形態１の保持装置の縦断側面図である。
【図３】図２の一部拡大図である。
【図４】外周保持枠の一部断面斜視図である。
【図５】内周保持枠の一部断面斜視図である。
【符号の説明】
１　液晶モジュール、２　外周縁部、５　保持装置、１１　表示面、２１　外周縁、２２　固定用環状脚、２５　底面（固定用環状脚）、３１　表示側縁部、５１　外周保持枠、５２　外周保持枠、５３　裏面覆い部材、１１０　アクリル板（液晶保護用透光性部材）、５１０　外周当接面、５１３　切込み部、５１１当接面部分（外周当接面）、５１２　当接面部分（外周当接面）、５２０　内周当接面、５２１　当接面部分（内周当接面）、５２２　当接面部分（内周当接面）。
【図１】
2004125928.tif 000003
【図２】
2004125928.tif 000004
【図３】
2004125928.tif 000005
【図４】
2004125928.tif 000006
【図５】
2004125928.tif 000007